(57)【要約】【課題】使用時の設置が簡単で安全性に優れるとともに、不使用時の収納が簡単で他の装置と干渉しない収納性に優れたピット梯子装置を提供する。【解決手段】昇降路１のピット１０に設置されるピット梯子１２と、ピット梯子１２の下端部１２３がピット床面５１の所定の軌道をスライド可能となるように、下端部１２３を支持する取付台１３とを備え、使用時には、伸長したピット梯子１２の上端部１２４の近傍が、乗場側敷居１５の近傍に固定されるとともに、下端部１２３が所定の位置にスライドされることにより、ピット床面５１に対して傾斜した状態で設置され、収納時には、縮小された状態のピット梯子１２の上端部１２４が、乗場側敷居１５の下のピット側壁５０に固定されるとともに、下端部１２３がピット側壁５０近傍にスライドされることにより、ピット床面５１に対して略垂直の状態でピット側壁５０に近接して設置される。【選択図】図１
2010202350.tif 000002
【特許請求の範囲】
【請求項１】
エレベータの昇降路のピットに設置されるピット梯子と、
前記ピット梯子の下端部が前記ピットの床面の所定の軌道をスライド可能となるように、前記下端部を支持する支持部と
を備えることを特徴とするエレベータのピット梯子装置。
【請求項２】
前記ピット梯子は、
前記下端部に前記支持部と係合する下端側係合部を備え、
前記支持部は、
前記下端側係合部と係合して前記下端部をスライド可能に支持する
ことを特徴とする請求項１に記載のエレベータのピット梯子装置。
【請求項３】
前記下端側係合部は、
突起部を備え、
前記支持部は、
前記突起部と係合して前記下端部のスライドをガイドするスライド溝を備える
ことを特徴とする請求項２に記載のエレベータのピット梯子装置。
【請求項４】
前記エレベータのピット梯子装置は、さらに、
前記ピット梯子の上端部の近傍を、前記ピットから前記昇降路の上方に向かって最初のエレベータ乗場の乗場側敷居の近傍に固定する上部固定部を備え、
前記ピット梯子は、
前記上部固定部により前記上端部の近傍が前記乗場側敷居の近傍に固定されるとともに、前記下端部が所定の位置にスライドされることにより、前記床面に対して傾斜した状態で設置されることを特徴とする請求項１〜３のいずれかに記載のエレベータのピット梯子装置。
【請求項５】
前記ピット梯子は、
長手方向に伸縮自在であり、伸長された状態で前記上部固定部により前記上端部の近傍が前記乗場側敷居の近傍に固定されるとともに、前記下端部が所定の位置にスライドされることにより、前記床面に対して傾斜した状態で設置されることを特徴とする請求項４に記載のエレベータのピット梯子装置。
【請求項６】
前記ピット梯子は、
前記上端部が前記乗場側敷居よりも、前記昇降路上方に向かって上方に位置することを特徴とする請求項５に記載のエレベータのピット梯子装置。
【請求項７】
前記エレベータのピット梯子装置は、さらに、
縮小された状態の前記ピット梯子の前記上端部を、前記乗場側敷居から前記床面に向かって形成された側壁に固定する側壁上端固定部を備え、
前記ピット梯子は、
縮小された状態で前記側壁上端固定部により前記上端部が前記側壁に固定されるとともに、前記下端部が前記側壁近傍にスライドされることにより、前記床面に対して略垂直の状態で前記側壁に近接して設置されることを特徴とする請求項５または６に記載のエレベータのピット梯子装置。
【請求項８】
前記ピット梯子は、
前記上端部が前記乗場側敷居よりも、下方に位置することを特徴とする請求項７に記載のエレベータのピット梯子装置。
【発明の詳細な説明】
【技術分野】
【０００１】
本発明は、例えば、エレベータの昇降路のピットに設置されるエレベータのピット梯子装置に関する。
【背景技術】
【０００２】
従来では、梯子本体を、不使用時にピット床面に縮小させた状態で寝かせて収納し、使用時には拡張してエレベータ出入り口とピット床面との間に斜めに立て掛ける構造のエレベータ用ピット梯子がある（特許文献１参照）。
【０００３】
また、梯子本体の一端が、ピット床面に対して回動自在に取り付けられ、不使用時にピット床面に縮小させた状態で寝かせて収納し、使用時には拡張してエレベータ出入り口とピット床面との間に斜めに立て掛ける構造のエレベータ用ピット梯子がある（特許文献２参照）。
【先行技術文献】
【特許文献】
【０００４】
【特許文献１】特開２００３−１９２２５３号公報
【特許文献２】特開２００２−１７３２７６号公報
【発明の概要】
【発明が解決しようとする課題】
【０００５】
図２２は、ピット梯子が設置されるエレベータシステム９００の全体構成図である。エレベータシステム９００は、高速エレベータ等のコンペンロープおよびコンペンシープとを備えた高速エレベータのエレベータシステムである。エレベータシステム９００は、巻上機３、主索４、ガイドレール５、かご６、釣合オモリ７、制御ケーブル８、コンペンロープ９、コンペンシープ１１を備えている。
【０００６】
図２３は、図２２のエレベータシステム９００に従来のピット梯子９１２を適用した場合におけるコンペンシープ１１とピット梯子９１２との干渉を示す平面図である。図２４は、図２２のエレベータシステム９００に従来のピット梯子９１２を適用した場合におけるコンペンロープ９及びコンペンシープ１１とピット梯子９１２との干渉を示す側面図である。図２３及び図２４において、ピット梯子９１２は、緩衝器１７と干渉しないように、ピット床面と乗場側敷居１５との間に立て掛けられる。
【０００７】
図２３及び図２４に示すように、従来のピット梯子９１２は収納時にピットの中へ折りたたむ等の方式で格納されていたため、高速エレベータ等のコンペンロープ９およびコンペンシープ１１とを備えたシステムでは、収納および取出し時にコンペンシープ１１と干渉が発生してしまう。
【０００８】
また、折りたたみ式（床に寝かせて収納する方式）等のピット梯子では、ピット深さが深いため、ピット梯子の昇降ストロークが確保できないという課題がある。
【０００９】
また、昇降路のピット側面壁にピット梯子を設置する方式では、乗場からアクセスする際に距離が出てしまうことから、ピット梯子への乗り移りの際に安全に非常に注意を払う必要があった。
【００１０】
さらに、乗場側敷居の下にピット梯子を設置する方式では、最下階の乗場側敷居よりも上に手摺部分を設置することが不可能であり、ピット梯子を使用する際に安全に非常に注意を払う必要があった。
【００１１】
本発明に係るピット梯子装置は、上記のような課題を解決するためになされたもので、ピット梯子がピットに設置されている機器等と干渉することなく簡単に設置及び収納することができるとともに、ピット梯子の使用時には作業者の安全性及び操作性を向上させることのできるピット梯子装置を提供することを目的とする。
【課題を解決するための手段】
【００１２】
本発明におけるエレベータのピット梯子装置は、
エレベータの昇降路のピットに設置されるピット梯子と、
前記ピット梯子の下端部が前記ピットの床面の所定の軌道をスライド可能となるように、前記下端部を支持する支持部
とを備えることを特徴とする。
【発明の効果】
【００１３】
本発明におけるエレベータのピット梯子装置は、エレベータの昇降路のピットに設置されるピット梯子と、前記ピット梯子の下端部が前記ピットの床面の所定の軌道をスライド可能となるように、前記下端部を支持する支持部とを備えているので、最下階の乗場側敷居よりも上方に手摺部分が位置するように簡単に立て掛けることができるとともに、ピットの側壁に沿わせて簡単に収納することができるので、使用時の安全性が向上するとともに収納時の収納性に優れたピット梯子装置を提供することができる。
【図面の簡単な説明】
【００１４】
【図１】実施の形態１に係るピット梯子装置１００におけるピット梯子１２の収納状態を示す側面図である。
【図２】図１のピット梯子装置１００の正面図である。
【図３】実施の形態１におけるピット梯子１２をピット側壁５０から外す状態を示す図である。
【図４】実施の形態１におけるピット梯子１２の引き上げ状態を示す図である。
【図５】実施の形態１におけるピット梯子１２の引き上げ後に下端部１２３をセットする状態を示す経過図である。
【図６】実施の形態１におけるピット梯子１２の下端部１２３のスライド位置決め機構を示す詳細図である。
【図７】実施の形態１におけるピット梯子１２の使用時の設置状態を示す側面図である。
【図８】図７の状態の正面図である。
【図９】実施の形態１におけるピット梯子１２の乗場側敷居１５への固定構造の一例を示す図である。
【図１０】実施の形態１におけるピット梯子１２の乗場側敷居１５への固定構造の一例を示す図である。
【図１１】実施の形態１におけるピット梯子１２の乗場側敷居１５への固定構造の一例を示す図である。
【図１２】実施の形態１におけるピット梯子１２の乗場側敷居１５への固定構造の一例を示す図である。
【図１３】実施の形態１におけるピット梯子装置１００のピット梯子１２の使用状態（太字二点鎖線）と収納状態（実線）との比較を示す側面図である。
【図１４】図１３の正面図である。
【図１５】図１３のＮ部の部分拡大図である。
【図１６】図１３のＭ部の部分拡大図である。
【図１７】実施の形態１におけるチェーン２１の収納時の状態を示す側面図である。
【図１８】図１７の正面図である。
【図１９】実施の形態１におけるピット梯子装置１００のピット梯子１２の収納状態を示す平面図（昇降路上方から見た図）である。
【図２０】実施の形態１におけるピット梯子１２のロック機構を構成する構造部材を示す図である。
【図２１】実施の形態１におけるロック機構及びロック機構の解除構造を示す図である。
【図２２】ピット梯子が設置されるエレベータシステム９００の全体構成図である。
【図２３】図２２のエレベータシステム９００に従来のピット梯子９１２を適用した場合におけるコンペンシープ１１とピット梯子９１２との干渉を示す平面図である。
【図２４】図２２のエレベータシステム９００に従来のピット梯子９１２を適用した場合におけるコンペンロープ９及びコンペンシープ１１とピット梯子９１２との干渉を示す側面図である。
【発明を実施するための形態】
【００１５】
実施の形態１．
本実施の形態では、エレベータの昇降路のピットに設置されるピット梯子装置１００の構造について説明する。エレベータのピットとは、昇降路の最下部の場所であって、最下階の乗場（床）より下方に位置する場所をいう。通常、ピットの床面には、かご用緩衝器や釣り合いおもり用緩衝器等が設置されている。ピット梯子とは、ピットの床面と最下階の乗場の出入口との間に立て掛けられる梯子であって、作業者２００が保守点検等のためにピットの床面と最下階の乗場の出入口とを移動（行き来）するための梯子である。
【００１６】
図１は、実施の形態１に係るピット梯子装置１００においてピット梯子１２の収納状態を示す側面図である。図２は、図１のピット梯子装置１００の正面図である。図１と図２を用いて、ピット梯子１２が収納状態である場合のピット梯子装置１００について説明する。本実施の形態におけるピット梯子装置１００では、ピット床面５１に設置されている緩衝器１７等と干渉することなく簡単に収納することができる。
【００１７】
ピット梯子装置１００は、昇降路１の最下端に設けられたピット１０に設置される。ピット１０のピット床面５１には、例えば、かご６が突き下げられた場合等に、衝撃を緩衝するための緩衝器１７が設置されている。
【００１８】
ピット梯子装置１００は、ピット梯子１２、取付台１３、チェーン２１、フック２５、磁石２６、磁石固定具２７を備えている。ピット梯子１２は、上梯子１２１と下梯子１２２とを備える。ピット梯子１２は、上梯子１２１が下梯子１２２に対してスライドすることにより長手方向に伸縮自在である２連式の梯子である。ここでは、ピット梯子１２として２連式の梯子を用いて説明するが、例えば、３連式の梯子、多連式の梯子、その他の伸縮自在の梯子でも構わない。
【００１９】
取付台１３は、ピット梯子１２の下端部１２３を、ピット床面５１に対して所定の軌道をスライド可能に支持している。取付台１３は、支持部の一例である。下端部１２３は、本実施の形態のピット梯子１２では、下梯子１２２の下端となる。
【００２０】
取付台１３は、図１及び図２に示すように、断面略Ｌ字状をなし、ピット側壁５０の近傍から緩衝器１７の手前まで、ピット側壁５０に対して略垂直に２つ配置されている。Ｌ字の底面にあたる面（台底面）は、ピット床面５１に当接してネジ止めにより固定される。また、Ｌ字の縦面にあたる面（台縦面）は、ピット床面５１から略垂直に突き出している。取付台１３の台縦面には、ピット梯子１２の両側の梯子支柱１２５，１２６の下端部１２３をピット梯子１２の面（あるいは、ピット側壁５０の面）に対して略垂直の方向に移動（スライド）させるようにガイドするスライド溝１３１を備える。図２に示すように、ピット梯子１２の両側の梯子支柱１２５，１２６の下端部１２３の内側には、突起部２９を備える。突起部２９は、スライド溝１３１と係合してスライド溝１３１をスライドする。突起部２９は、取付台１３のスライド溝１３１（支持部）と係合する下端側係合部の一例である。
【００２１】
下端部１２３は、ピット側壁５０の近傍から、ピット梯子１２の面（あるいは、ピット側壁５０の面）に対して略垂直の方向に移動（スライド）する。取付台１３と下端部１２３とのスライド方式の詳細については後述する。
【００２２】
ピット梯子１２の収納状態では、下端部１２３はピット側壁５０近傍に位置しており、上端部１２４はピット側壁５０に固定されている。したがって、ピット梯子１２は、ピット床面５１に対して略垂直状態にピット側壁５０に近接して配置される。また、ピット梯子１２の収納状態では、ピット梯子１２は縮小された状態となっている。つまり、ピット梯子１２は、上梯子１２１と下梯子１２２とが重なって、長手方向に短い状態となっている。この状態では、ピット梯子１２の上端部１２４は、乗場側敷居１５から下方に向かって設けられたピット側壁５０に位置する。上端部１２４は、本実施の形態のピット梯子１２では、上梯子１２１の上端となる。
【００２３】
ピット梯子１２の上端部１２４には、フック２５を備える。また、ピット側壁５０には、ピット梯子１２が縮小した状態でピット側壁５０に沿って配置された場合に、ピット梯子１２のフック２５に対応する位置に磁石固定具２７及び磁石２６を備える。上端部１２４は、フック２５が磁石２６に磁力により固着（吸着、磁着）されることでピット側壁５０に固定される。フック２５、磁石２６、磁石固定具２７は、側壁上端固定部の一例である。
【００２４】
つまり、ピット梯子装置１００は、縮小された状態のピット梯子１２の上端部１２４を、乗場側敷居１５からピット床面５１に向かって形成されたピット側壁５０に固定する側壁上端固定部（フック２５、磁石２６、磁石固定具２７）を備えている。また、ピット梯子１２は、縮小された状態で側壁上端固定部（フック２５、磁石２６、磁石固定具２７）により上端部１２４がピット側壁５０に固定されるとともに、下端部１２３がピット側壁５０の近傍にスライドされることにより、ピット床面５１に対して略垂直の状態でピット側壁５０に近接して沿って設置される。
【００２５】
図１に示すように、乗場側敷居１５は、ピット側壁５０よりも昇降路１の中心側に所定の距離Ｌ１だけ突き出ている。そして、突き出た乗場側敷居１５の先端から鉛直方向に乗場延長前ダレ１４が吊り下げられる。フック２５は、断面略Ｌ字状をなす磁性体の金属であり、下側の面（Ｌ字の底面）は上端部１２４に当接して取り付けられ、上側の面（Ｌ字の側面（縦面））にチェーン２１の一方の端部が連結される。チェーン２１の他方の端部は、乗場延長前ダレ１４の上部の前ダレチェーン連結部１４１にて着脱可能に連結されている。チェーン２１は、作業者２００が、使用時にピット梯子１２を伸長するために利用される。あるいは、地震などの何らかの原因でフック２５が磁石２６からはずれた場合に、ピット梯子１２が昇降路１（ピット１０）中心側に倒れてしまうのを防ぐために利用される。
【００２６】
かご６が最下階に停止した場合、かご６は、かご側敷居６１の先端が乗場側敷居１５との間に所定の隙間Ｌ２を有して停止する。かご側敷居６１の先端から鉛直方向にかご延長前ダレ１６が吊り下げられる。すなわち、ピット側壁５０とかご延長前ダレ１６との間隔はＬ１＋Ｌ２となる。本実施の形態におけるピット梯子装置１００のピット梯子１２は、収納状態においてピット側壁５０から長さＬ１＋Ｌ２未満の間に配置されるように設計される。これにより、かご６が突き下げられた場合でも収納時のピット梯子１２とかご６とが緩衝する恐れがなくなる。
【００２７】
次に、ピット梯子装置１００において、作業者２００がピット梯子１２を収納状態から使用状態にする手順について説明する。図３は、実施の形態１において作業者がピット梯子１２をピット側壁５０から外している状態を示す図、図４は、実施の形態１において作業者２００がピット梯子１２を引き上げている状態を示す図、図５は、実施の形態１においてピット梯子１２を引き上げた後に下端部１２３をセットする状態を示す経過図、図６は、実施の形態１においてピット梯子１２の下端部１２３のスライド位置決めをする機構を示す詳細図、図７は、実施の形態１におけるピット梯子１２の使用時の設置状態を示す側面図、図８は、図７の状態の正面図である。図３から図８を用いて、ピット梯子装置１００の作業者２００が、ピット梯子１２を収納状態から使用状態にする手順について説明する。
【００２８】
まず、図３に示すように、作業者２００は、外し棒２８をチェーン２１に挿入し（絡ませ）、こじることで磁石２６からフック２５を外す。例えば、作業者２００は、外し棒２８をチェーン２１に絡ませ、外し棒２８と乗場側敷居１５との接点（ａ点）を支点としてＢ１方向に外し棒２８を引くことで、外し棒の２８の下端部がＡ方向に押されるとともにフック２５がＡ方向に押されてフック２５が磁石２６から外れる。
【００２９】
上述したように、フック２５は、断面略Ｌ字状をなす磁性体であり、Ｌ字状の底面（横面）はピット梯子１２の上端部１２４に当接して取り付けられ、Ｌ字状の縦面の先端にチェーン２１の端部が連結されている。チェーン２１の他方の端部は、乗場延長前ダレ１４の前ダレチェーン連結部１４１に着脱可能に連結されている。収納状態では、チェーン２１は、フック２５と前ダレチェーン連結部１４１との間を完全にピンと張っている必要はなく多少余裕を持って連結されている方がよい。しかし、チェーン２１の張りが弛み過ぎると、作業者２００が外し棒をＢ１方向に引く距離が長くなるので作業性が悪くなるので、適度に張っている方が好ましい。
【００３０】
次に、図４に示すように、作業者２００は前ダレチェーン連結部１４１からチェーン２１の上部の先端部を外し、チェーン２１を持ってピット梯子１２の上端部１２４を昇降路１上方に向かって上方（Ｂ２方向）に引き上げる。つまり、作業者２００は、チェーン２１を引き上げて、ピット梯子の上梯子１２１をスライドさせてピット梯子１２を伸長（拡張）していく。作業者２００は、ピット梯子１２自体を掴める位置まで引き上げたら、それ以降はピット梯子１２を掴んで引き上げた方が安全である。
【００３１】
次に、図５に示すように、作業者２００は、ピット梯子１２の上端部１２４をすべて引き上げる。すなわち、ピット梯子１２を最大の長さまで伸長させる。ピット梯子１２は、ピット梯子１２を最大の長さまで伸長させた状態で、あるいは、ピット梯子１２を所定の長さにおいて、上梯子１２１と下梯子１２２とをロックするロック機構を備えている。ロック機構については後述する。
【００３２】
作業者２００は、乗場側敷居１５とピット梯子１２との接点（ａ点）を支点として、伸長したピット梯子１２の上部をＣ方向に引く。これにより、ピット梯子１２の下端部１２３を、緩衝器１７側（Ｅ方向）に移動させることができる。詳しくは、作業者２００は、まずピット梯子１２全体を上方（Ｄ方向）に引き上げながら、接点（ａ点）を支点として、ピット梯子１２の上部をＣ方向に引く。これにより、ピット梯子１２の下端部１２３は、まず上方（Ｄ方向）に引き上げられてから、緩衝器１７側（Ｅ方向）に移動される。
【００３３】
図６は、図５のＨ部分の詳細図である。図５及び図６を用いて、ピット梯子１２の下端部１２３を、緩衝器１７の方向へスライドさせる構造について説明する。すなわち、作業者２００が、ピット梯子１２の下端部１２３を収納状態から使用状態にする手順について説明する。
【００３４】
図６に示すように、ピット梯子１２の下端部１２３は、突起部２９を備えている。突起部２９は、ピット梯子１２の下端部１２３に設けられた孔に差されて固定されているピンである。したがって、突起部２９は、ピット梯子１２の梯子支柱１２５，１２６の内側にも外側にも突出している。本実施の形態では、突起部２９の内側の突出部分を取付台１３のスライド溝１３１に係合させてスライドさせている。しかし。ピット梯子１２の外側に取付台１３を設けて、突起部２９の外側の突出部分をスライド溝１３１に係合させてスライドさせてもよい。
【００３５】
取付台１３（支持部の一例）は、内側の突起部２９（以下、内側の突起部を突起部２９と呼ぶ）と係合して下端部１２３のスライドをガイドするスライド溝１３１を備えている。スライド溝１３１は、ピット側壁５０側に側壁側凹部１３０ａを備え、ピット１０の中心部側に中心側凹部１３０ｂを備える。ピット梯子１２の収納状態では、下端部１２３の突起部２９は、側壁側凹部１３０ａに嵌っていてスライド不可能な状態である。すなわち、ピット梯子１２の収納状態では、下端部１２３の突起部２９は側壁側凹部１３０ａにより係止されている。
【００３６】
作業者２００は、まず、上述したようにピット梯子１２をＤ方向に引き上げる。次に作業者２００が、ａ点を支点としてピット梯子１２の上部をＣ方向に引くと、ピット梯子１２の下端部１２３にはＥ方向に力が加わる。下端部１２３は、Ｄ方向に引き上げられたことにより、側壁側凹部１３０ａから抜けてスライド溝１３１をスライド可能となる。そして、下端部１２３は、Ｅ方向にスライドされて中心側凹部１３０ｂまで達すると、中心側凹部１３０ｂに嵌り再び係止される。すなわち、下端部１２３は、中心側凹部１３０ｂまで達すると重力により中心側凹部１３０ｂの凹みに嵌り固定される。このように、下端部１２３が中心側凹部１３０ｂに固定されることにより、ピット梯子１２は所定の傾きでピット床面５１から乗場側敷居に立て掛けられる。
【００３７】
本実施の形態では、スライド溝１３１の両端に凹部を備えているが、例えば、スライド溝１３１の途中に凹部を備えていてもよい。凹部の位置により、使用時のピット梯子１２の傾きを調整することができる。しかし、梯子は通常、踏ざんが略水平になる傾きで使用することが安全上好ましいため、梯子の踏ざんが略水平になる位置にて下端部１２３が係止されるように設計するのが好適である。また、中心側凹部１３０ｂあるいは側壁側凹部１３０ａは、下端部１２３が重力により凹部に落下して嵌り係止される構造であるが、例えば、力を加えて押し込むことで固定する構造にしても良い。凹部に下端部１２３を押し込む構造にすれば、より外れ難くなる。
【００３８】
図７は、実施の形態１におけるピット梯子１２の使用時の設置状態を示す側面図、図８は、図７の正面図である。図７及び図８に示すように、下端部１２３の突起部２９が中心側凹部１３０ｂに係止（固定）され、ピット梯子１２が乗場側敷居１５にａ点において立て掛けられることによりピット梯子１２が使用可能となる。このとき、ピット梯子１２の上端部１２４が、乗場側敷居１５よりも、昇降路１上方に向かって上方に位置しているので、作業者２００は、乗場側敷居１５よりも上方に出ている梯子部分を手摺として使用することができ、安全にピット梯子１２の乗り降りをすることができる。また、その際に、ａ点において、ピット梯子をの乗場側敷居１５に確実に固定することにより、安全性をより向上させることができる。
【００３９】
図９から図１２は、実施の形態１におけるピット梯子１２の乗場側敷居１５への固定構造のバリエーションを示す図である。エレベータのピット梯子装置１００は、ピット梯子１２の上端部１２４の近傍（上部）を、ピット１０から昇降路１の上方に向かって最初のエレベータ乗場（すなわち、最下階）の乗場側敷居１５の近傍に固定する上部固定部を備える。図９から図１２を用いて、ピット梯子１２を乗場側敷居１５へ確実に固定するための構造（上部固定部の構造）について、４つの例を上げて説明する。
【００４０】
図９に示すように、乗場側敷居１５に断面略Ｕ字状の固定金具１８を取付け、締結部材１９により固定金具１８を乗場側敷居１５に固定する。図９では、締結部材１９としてボルトを用いて、固定金具１８を乗場側敷居１５に固定している。固定金具１８の一方の端部を乗場側敷居１５の溝部に嵌め、他方の端部に対してピット１０の中心部側からボルト（締結部材１９）を差し込みネジ締めすることにより、固定金具１８を乗場側敷居１５に固定する。
【００４１】
図示はないが、固定金具１８及び締結部材１９は、ピット梯子１２の両側の梯子支柱１２５，１２６の外側近傍にそれぞれ取り付けられる。すなわち、固定金具１８及び締結部材１９は、乗場側敷居１５において、ピット梯子１２の両側の梯子支柱１２５，１２６の外側近傍２箇所に取付けられる。
【００４２】
作業者２００は、ピット梯子１２を乗場側敷居１５に立て掛けた後、固定金具１８及び締結部材１９を乗場側敷居１５のピット梯子１２の梯子支柱１２５，１２６外側近傍２箇所に取付ける。一方の（梯子支柱１２５側の）固定金具１８には、固定チェーン２２の一方の端部が固定されている。梯子支柱１２６側の固定金具１８には、固定チェーン２２を固定するチェーン固定部が設けられている。作業者２００は、固定チェーン２２をピット梯子１２の梯子面の前面（ピット１０の中心側の面）に渡らせて乗場側敷居１５から離れてしまわないように、固定チェーン２２を梯子支柱１２５側の固定金具１８から梯子支柱１２６側の固定金具１８のチェーン固定部に固定する。これにより、ピット梯子１２が乗場側敷居１５に確実に固定され。乗場側敷居１５から離れてしまう恐れが無くなる。
【００４３】
図１０は、ピット梯子１２を乗場側敷居１５へ確実に固定するための構造の一例である。図９の構造と異なる点は、乗場側敷居１５に取り付けられる固定金具１８及び締結部材１９の構造である。図１０では、固定金具１８の一方の端部は、乗場側敷居１５のピット１０側の面（ピット側壁５０に略平行な面）に設けられているピット面側溝部に嵌められている。そして、固定金具１８の他方の端部は、乗場側敷居１５の上面に略平行に位置し、固定金具１８の他方の端部の上方からボルト（締結部材１９）が差し込まれ、ネジ締めされる。これにより、固定金具１８は、乗場側敷居１５に固定される。
【００４４】
図１０に示すように、固定金具１８及び締結部材１９は、ピット梯子１２の両側の梯子支柱１２５，１２６の外側近傍に２箇所取り付けられる。
【００４５】
作業者２００は、ピット梯子１２を乗場側敷居１５に立て掛けた後、固定金具１８及び締結部材１９を乗場側敷居１５のピット梯子１２の梯子支柱１２５，１２６の外側近傍に２箇所に取付ける。梯子支柱１２５側の締結部材１９には、固定チェーン２２の一方の端部が固定されている。梯子支柱１２６側の締結部材１９には、固定チェーン２２を固定するチェーン固定部が設けられている。作業者２００は、固定チェーン２２をピット梯子１２の梯子面の前面に渡らせて乗場側敷居１５から離れてしまわないように、固定チェーン２２の他方の端部を梯子支柱１２６側の締結部材１９のチェーン固定部に固定する。これにより、ピット梯子１２が乗場側敷居１５から離れてしまう恐れが無くなる。
【００４６】
図１１は、ピット梯子１２を乗場側敷居１５へ確実に固定するための構造の一例である。図１１では、乗場延長前ダレ１４の上部に固定チェーン２２を取り付けるチェーン取付金具２３を設けている。作業者２００は、ピット梯子１２を乗場側敷居１５に立て掛けた後、チェーン取付金具２３に固定チェーン２２の一方の端部（端部近傍）を連結して取付け、固定チェーン２２をピット梯子１２の周囲に一周させて、他方の端部（端部近傍）をチェーン取付金具２３に固定する（取り付ける）。固定チェーン２２が、ピット梯子１２の周囲を囲っているとともに、乗場延長前ダレ１４の上部に固定されているので、ピット梯子１２が乗場側敷居１５から離れて倒れてしまう恐れが無くなる。図１１では、前ダレチェーン連結部１４１とチェーン取付金具２３とを１つの部品で兼用する構造である。
【００４７】
図１２は、ピット梯子１２を乗場側敷居１５へ確実に固定するための構造の一例である。図１２において、図１１と異なる点は、チェーン取付金具２３が乗場側敷居１５の上面に設けられている点である。作業者２００は、ピット梯子１２を乗場側敷居１５に立て掛けた後、チェーン取付金具２３に固定チェーン２２の一方の端部（端部近傍）を固定し（取付け）、固定チェーン２２をピット梯子１２の周囲に一周させて、他方の端部（端部近傍）をチェーン取付金具２３に固定する（取り付ける）。固定チェーン２２が、ピット梯子１２の周囲を囲っているとともに、乗場側敷居１５の上面に固定されているので、ピット梯子１２が乗場側敷居１５から離れて倒れてしまう恐れが無くなる。
【００４８】
図１３は、実施の形態１におけるピット梯子装置１００のピット梯子１２の使用状態（太字二点鎖線）と収納状態（実線）との比較を示す側面図、図１４は、図１３の正面図、図１５は、図１３のＮ部の部分拡大図、図１６は、図１３のＭ部の部分拡大図、図１７は、チェーン２１の収納時の状態を示す側面図、図１８は、図１７の正面図である。また、図１９は、実施の形態１におけるピット梯子装置１００のピット梯子１２の収納状態を示す平面図（昇降路上方から見た図）である。図１３から図１９を用いて、実施の形態１において作業者がピット梯子１２を使用状態から収納状態とする手順等について説明する。
【００４９】
図１３及び図１４に示すように、ピット梯子装置１００において、ピット梯子１２は使用状態（ピット梯子１２（太字二点鎖線））から収納状態（ピット梯子１２（実線））となる。ピット梯子１２の収納状態については、図１及び図２の構造の説明で記載したとおりである。また、図１３では、ピット梯子１２の収納状態において、かご６が緩衝器１７に突き下げられた状態を二点鎖線で示している。本実施の形態のピット梯子装置１００によれば、図１の状態から図１３の状態のようにかご６が突き下げられた場合でも、ピット梯子１２はピット側壁５０とかご延長前ダレ１６との間に収納されているので、かご６とピット梯子１２とが干渉することはない。
【００５０】
図１５は、図１３のＮ部の部分拡大図である。作業者２００（図示せず）は、まず、ピット梯子１２を斜め手前方向（Ｐ１方向）に引き上げる。それにより、図１５に示すように、ピット梯子１２の使用時において、中心側凹部１３０ｂに下端部１２３が嵌っている状態のピット梯子１２は、Ｐ１方向に引き上げられる。このとき、中心側凹部１３０ｂと略水平にスライドさせる部分であるスライド部１３１ｃとの角度θは、鈍角となっていることが好ましい。角度θが鈍角となっていることで、下端部１２３を引き上げやすくすることができる。
【００５１】
作業者２００（図示せず）は、下端部１２３を中心側凹部１３０ｂから引き上げて、下端部１２３に対してＥ１方向の力が働くようにピット梯子１２を操作する。例えば、作業者２００は、ピット梯子１２の上部をさらに引き上げることにより、下端部１２３にＥ１方向の力が働く。これにより、下端部１２３は、Ｅ１方向にスライドされ、側壁側凹部１３０ａに達すると側壁側凹部１３０ａの凹部に重力により落下し係止される。このとき、側壁側凹部１３０ａとスライド部１３１ｃとの角度θ１も鈍角となっているほうが好ましい。しかし、角度θ１は、略直角でも構わない。下端部１２３は、側壁側凹部１３０ａに嵌る（落下する）ことにより、側壁側凹部１３０ａに係止される。
【００５２】
次に、作業者２００は、伸長された状態で上梯子１２１と下梯子１２２とをロックしているロック機構を外し、ピット梯子１２を縮小させる。ロック機構の解除構造については後述する。
【００５３】
図１６に示すように、フック２５は断面略Ｌ字状であり、材質は磁性体の金属である。ピット梯子装置１００は、縮小された状態のピット梯子１２の上端部１２４を、乗場側敷居１５からピット床面５１に向かって形成されたピット側壁５０に固定する側壁上端固定部（フック２５、磁石２６、磁石固定具２７）を備える。ピット梯子１２は、軽くて磁性体ではないアルミ製等が好ましい。フック２５は、フック２５の底面をピット梯子１２の上面に固定されている。例えば、フック２５は、ピット梯子１２の最上段の踏ざんの上面に固定されていてもよい。フック２５の縦面の上部略中央には、チェーン２１の端部が連結される。例えば、フック２５の縦面の上部略中央に孔を設け、チェーン２１の端部の輪を孔に通して連結する。
【００５４】
磁石２６は、磁石固定具２７によりピット側壁５０に取り付けられる。磁石２６が取り付けられる位置は、ピット梯子１２が縮小された状態でピット側壁５０に近接して略平行に配置された場合に、上端部１２４に固定されているフック２５に対応するピット側壁５０の箇所である。
【００５５】
作業者２００は、例えば、チェーン２１を操作して上端部１２４（フック２５）を磁石２６に近づける。すると、フック２５は、磁石２６の磁力によりＰ方向に移動し、磁石２６の磁力により磁石２６に当接して固定（固着、吸着、磁着）される。
【００５６】
本実施の形態では、ピット梯子１２の上端部１２４をピット側壁５０に固定する方法として、フック２５とピット側壁に固定した磁石２６を用いたが、これに限られない。例えば、図示はないが、ピット梯子１２の上部にフック（あるいは引っ掛け爪）を備え、ピット側壁５０に設けた部材であって、引っ掛け爪と係合しはめ込み着脱可能な部材を設けても良い。フック２５と磁石２６を用いた方式と同様に、収納および取り外しが可能であり、安全でかつ、確実な固定のできるピット梯子装置を提供することができる。また、フック２５と磁石２６を用いた方式よりも安価で、かつ、収納性に優れたピット梯子を提供することができる。さらに、収納時の状態から、ピット梯子の下部固定部（下端部１２３）をスライド移動できるので転倒のしにくいピット梯子を同時に構成することができる。
【００５７】
図１７及び図１８に示すように、前ダレチェーン連結部１４１は、断面略Ｌ字状であり、一方の面は、乗場延長前ダレ１４に当接してネジ止め等により固定されている。他方の面は乗場延長前ダレ１４から略垂直に突き出しており、チェーン２１を連結する孔が設けられている。作業者２００は、フック２５を磁石２６に固定した後、チェーン２１の他方の端部（フック２５に連結されていない方の端部）を乗場延長前ダレ１４の上部の前ダレチェーン連結部１４１に連結する。本実施の形態では、前ダレチェーン連結部１４１とチェーン取付金具２３（図１１参照）とが、同一の部品となっている。すなわち、乗場延長前ダレ１４から略垂直に突き出した面の下方にはチェーン２１を連結する孔を設け、上方には固定チェーン２２（図１１参照）を連結固定する孔を設けることにより、１つの部品で前ダレチェーン連結部１４１とチェーン取付金具２３との２つの役目を果たす。
【００５８】
図１９は、ピット梯子１２の収納状態を、ピット１０の上方から見た平面図である。図１９に示すように、ピット梯子１２は、ピット側壁５０に近接して略平行に配置され収納されている。また、取付台１３は、ピット側壁５０の近傍から緩衝器１７の手前まで、ピット側壁５０に対して略垂直に配置されている。このため、作業者２００が、ピット梯子１２を最大に傾斜させても緩衝器１７と干渉することはない。
【００５９】
図２０は、ピット梯子１２におけるロック機構を構成する構造部材を示す図である。図２１は、ロック機構及びロック機構の解除構造を示す図である。図２０及び図２１を用いて、ピット梯子１２の伸長時のロック機構及び縮小時のロック機構及びそれらの解除構造について説明する。
【００６０】
図２０は、ピット梯子１２の備えるロック機構３０を、ピット梯子１２の側面から見た図である。上梯子１２１の側面には、ロック金具３１、ロック金具取付部３４を備える。ロック金具３１は、上梯子１２１の側面に、バネ（弾性体）の弾性力により常に下梯子１２２側に押されるように取り付けられている（ロック金具取付部３４）。ロック金具３１は、ロック金具取付部３４に取り付けられている腕部３１２と、腕部３１２の先端に後述する踏ざん３３に引っ掛かる引っ掛け部３１１とからなる。引っ掛け部３１１は、上部が曲面になっており、略曲面の曲面部３１３を備える。引っ掛け部３１１の先端（曲面部３１３の最下部）をロック先端部３１４と呼ぶ。
【００６１】
アーム３２は、ロック金具３１の腕部３１２に取り付けられる。アーム３２は、アーム斜面３２２とアーム底面３２３とを有する略三角形である。アーム３２は、アーム底面３２３に対向する頂点近傍において、アーム取付部３２１により腕部３１２に回動自在に取り付けられている。アーム３２は、力が加わっていない状態ではアーム底面３２３が略水平状態である。アーム３２は、アーム３２の上側のアーム斜面３２２やアーム底面に力が加わると、アーム取付部３２１を中心に回動自在になるように取り付けられている。アームの先端（アーム斜面３２２とアーム底面３２３とからなる頂点近傍）をアーム先端部３２４と呼ぶ。
【００６２】
下梯子１２２の側面には、ピット梯子１２の踏ざんの端部が側面部分に突出した部分（以下、踏ざん３３という）がある。ロック機構３０は、下梯子１２２の踏ざん３３と上梯子１２１のロック金具３１とが嵌合して、あるいは、下梯子１２２の踏ざん３３に上梯子１２１のロック金具３１が引っ掛かることにより、上梯子１２１と下梯子１２２とがロックされる。
【００６３】
図２１の（ａ）は、上梯子１２１が上方へ引き上げられる際の、ロック機構３０の構造について示す図である。上梯子１２１が上方へ引き上げられる場合の、ロック機構３０の構造は以下の通りである。
（ａ１）作業者２００がチェーン２１を引き上げることにより、上梯子１２１が上方へ引き上げられる。
（ａ２）ロック金具３１が踏ざん３３ａまで到達すると、踏ざん３３ａが曲面部３１３に当接してロック金具３１をＰ１方向に押す。ロック金具３１が徐々に上梯子１２１側（Ｐ１側）に傾く。
（ａ３）踏ざん３３ａが曲面部３１３の最下部（以下、ロック先端部３１４）まで達するとロック金具３１が踏ざん３３ａから外れ、ロック金具３１はロック金具取付部３４のバネの弾性力により下梯子１２２側（Ｐ２方向）に傾く。
（ａ４）さらに、上梯子１２１が上方へ引き上げられると、踏ざん３３ａによりアーム３２のアーム斜面３２２が下方に押され、アーム３２はＰ３方向に回動する。
（ａ５）踏ざん３３ａがアーム斜面３２２の最下部（以下、アーム先端部３２４）まで達すると、アーム３２が踏ざん３３ａから外れ、元の位置（アーム底面３２３が略水平状態となる位置）に戻る。さらに、上梯子１２１が上方へ引き上げられ次の踏ざん３３ｂに到達すると、ロック機構３０は（ａ１）〜（ａ５）を繰り返す。
【００６４】
以上のように、ロック機構３０では、上梯子１２１が上方へ引き上げられる際には、自動的にロック金具３１及びアーム３２が踏ざん３３を外しながら上方へ引き上げられる構造となっている。
【００６５】
図２１の（ｂ）は、上梯子１２１を所定の位置で下梯子１２２にロックするときの構造を示している。ロック機構３０により、上梯子１２１が踏ざん３３ａの位置で下梯子１２２にロックされる構造について以下に説明する。
（ｂ１）作業者２００がチェーン２１を引き上げることにより、上梯子１２１が上方に引き上げられる。
（ｂ２）ロック金具３１が踏ざん３３ａまで到達すると、踏ざん３３ａが曲面部３１３に当接しながらロック金具３１をＰ１方向に押し、ロック金具３１が徐々に上梯子１２１側（Ｐ１側）に傾く。
（ｂ３）踏ざん３３ａが曲面部３１３のロック先端部３１４まで達するとロック金具３１が踏ざん３３ａから外れ、ロック金具３１はロック金具取付部３４のバネの弾性力により下梯子１２２側（Ｐ２方向）に傾く。このとき、踏ざん３３ａは、ロック金具３１とアーム３２との間に位置する。
（ｂ４）（ｂ３）の状態で、作業者２００がチェーン２１の引き上げを緩める等することにより、上梯子１２１が自重によりＰ５方向に動く。これにより、ロック金具３１の引っ掛け部３１１が踏ざん３３ａに引っ掛かり、上梯子１２１を踏ざん３３ａの位置において下梯子１２２にロックする（係止する、固定する）ことができる。本実施の形態では、ピット梯子１２の使用時には、ピット梯子１２を最大に伸長させてロックするとしたが、必ずしも最大に伸長させる必要はない。本実施の形態のロック機構３０によれば、下梯子１２２の踏ざん３３のある位置であれば、どの位置ででもロックすることができるので、伸長する長さを調節することができる。
【００６６】
図２１の（ｃ）は、ロック機構３０におけるロックの解除構造を示す図である。以下に、ロック状態からロックを解除して、ピット梯子１２を縮小する際のロック解除構造について説明する。
（ｃ１）ロック状態において作業者２００がチェーン２１を引き上げることにより、上梯子１２１が上方に引き上げられる。
（ｃ２）アーム３２のアーム斜面３２２が踏ざん３３ａと当接しつつ上梯子１２１が上方に引き上げられると、アーム３２が徐々にＰ３方向に回動する。
（ｃ３）踏ざん３３ａがアーム斜面３２２のアーム先端部３２４まで達すると、アーム３２が踏ざん３３ａから外れる。アーム３２は、元の位置（状態）（アーム底面３２３が略水平状態となる位置）に戻る。すなわち、アーム３２の下方に踏ざん３３ａが位置する。
（ｃ４）（ｃ３）の状態から、作業者２００は、ピット梯子１２を縮小するためにチェーン２１を緩める等して、上梯子１２１が自重によりＰ５方向に動くように操作する。すると、踏ざん３３ａはアーム３２のアーム底面３２３に当接し、当接しながら上梯子１２１が下方に移動することによりアーム３２がＰ４方向に回動する。そして、アーム３２のアーム先端部３２４がロック金具３１のロック先端部３１４に当接する。
（ｃ５）踏ざん３３ａにアーム底面３２３が押されることにより、アーム３２がロック金具３１をＰ１方向に押す。アーム３２がロック金具３１を押しつつ踏ざん３３ａから外れるので、ロック金具３１に踏ざん３３ａが引っ掛かることがない。
（ｃ６）アーム３２がロック金具３１を押しつつ踏ざん３３ａから外れると、アーム３２は元の状態へ戻りロック金具３１はバネの弾性力によりＰ２方向へ傾く。この状態は（ｃ３）の状態である。ここで、作業者２００が、ピット梯子１２を縮小するために上梯子１２１をさらに下方（Ｐ５方向）へスライドさせると、ピット梯子１２は（ｃ３）〜（ｃ６）を繰り返して下方の踏ざん３３ｃを自動的に外しながら縮小する。
【００６７】
つまり、作業者２００は、ピット梯子１２の使用後は、ピット梯子１２全体を少し持ち上げて、緩衝器１７側の中心側凹部１３０ｂから側壁側凹部１３０ａのスリット（凹み）に下端部１２３のスライドピン（突起部２９）をスライドさせる。その後、作業者２００は、チェーン２１を持ちながらピット梯子を少し持ち上げることによりロック装置（ロック機構３０）を外し（（ｃ１）〜（ｃ３））、そのまま上梯子１２１の自重により下げていく（（ｃ４）〜（ｃ６））ことでロックが順次開放され、自動的にピット梯子１２を元の状態（縮小状態）にすることが可能となる。
【００６８】
本実施の形態では、以下のようなエレベータ用のピット梯子１２について説明した。本実施の形態のエレベータ用のピット梯子１２は、２連式もしくは、それ以上の多連式のピット梯子１２を縮小して乗場側敷居１５下に収納するとともに、使用時には下部の固定部（下端部１２３）をスライド移動して反乗場側（ピット中心部側）へ移動して固定し、傾きを構成して転倒防止機構を構成することを特徴とする。
【００６９】
また、本実施の形態のエレベータ用のピット梯子１２は、２連式もしくは、それ以上の多連式のピット梯子１２を縮小して乗場側敷居１５下に収納するとともに、使用時には下部の固定部（下端部１２３）をスライド移動して反乗場側（ピット中心部側）へ移動して固定し、傾きを構成して転倒防止機構を構成し、かつ、伸長させて乗場側敷居１５よりも上方へピット梯子１２の上部を突き出させて手摺部分を構成したことを特徴とする。
【００７０】
また、本実施の形態のエレベータ用のピット梯子１２は、２連式もしくは、それ以上の多連式のピット梯子１２を縮小して乗場側敷居１５下に収納するとともに、使用時には下部の固定部（下端部１２３）をスライド移動して反乗場側（ピット中心部側）へ移動して固定し、傾きを構成して転倒防止機構を構成し、かつ、収納時には乗場側（乗場側敷居１５下のピット側壁５０）に設置された固定金具（上部固定部）にピット梯子１２の上部を固定して、かご６の突き下げ時にもピット梯子１２とかご６とが緩衝しないように構成したことを特徴とする。
【００７１】
以上のように、本実施の形態に係るピット梯子装置１００は、エレベータの昇降路１のピット１０に設置されるピット梯子１２と、ピット梯子１２の下端部１２３がピット床面５１の所定の軌道をスライド可能となるように、下端部１２３を支持する支持部（取付台１３）とを備えているので、ピット１０に設置された他の装置（緩衝器１７等）と干渉することなく設置及び収納ができ、操作性及び収納性に優れたピット梯子装置を提供することができる。
【００７２】
また、ピット梯子１２は、下端部１２３に取付台１３（支持部）と係合する下端側係合部を備え、取付台１３は、下端側係合部と係合して下端部１２３をスライド可能に支持するので、作業者２００はピット１０に設置された他の装置（緩衝器１７等）と干渉することなく簡単に設置及び収納ができるので、操作性及び収納性に優れたピット梯子装置を提供することができる。
【００７３】
下端側係合部は、突起部（スライドピン２９）を備え、取付台１３（支持部）は、突起部（スライドピン２９）と係合して下端部１２３のスライドをガイドするスライド溝１３１を備えているので、作業者２００はピット１０に設置された他の装置（緩衝器１７等ま）と干渉することなく簡単な操作によりピット梯子１２の設置及び収納をすることができる。また、本実施の形態では、スライド溝１３１によりスライドピン（突起部２９）をガイドすることにより、ピット梯子１２の下端部１２３をスライドさせる構造としたが、他の構造でもよい。例えば、下端部１２３に車輪等を設け、取付台１３にレールを設けてレール上をスライドさせる方法がある。また、例えば、下端部１２３に溝を設け、溝に取付台１３に設けられた突起部を嵌合させて下端部１２３をスライドさせる方法でもよい。
【００７４】
本実施の形態に係るピット梯子装置１００は、さらに、ピット梯子１２の上端部１２４の近傍を、ピット１０から昇降路１の上方に向かって最初のエレベータ乗場の乗場側敷居１５の近傍に固定する上部固定部を備え、ピット梯子１２は、上部固定部により上端部１２４の近傍が乗場側敷居１５の近傍に固定されるとともに、下端部１２３が所定の位置にスライドされることにより、ピット床面５１に対して傾斜した状態で設置されるので、作業者２００は、転倒のしにくい転倒防止機構を有する安全なピット梯子１２を簡単に設置することができる。
【００７５】
また、ピット梯子１２は、長手方向に伸縮自在であり、伸長された状態で上部固定部により上端部１２４の近傍が乗場側敷居１５の近傍に固定されるとともに、下端部１２３が所定の位置（緩衝器１７の手前の位置）にスライドされることにより、ピット床面５１に対して傾斜した状態で設置され、さらに、上端部１２４が乗場側敷居１５よりも、昇降路１上方に向かって上方に位置するので、ピット梯子１２の乗場側敷居１５より上方に位置する部分を手摺として使用することができ、転倒のしにくい転倒防止機構を有する安全なピット梯子１２を簡単に設置することができるとともに、より安全なピット梯子１２を提供することができる。
【００７６】
また、上端部１２４が乗場側敷居１５よりも、昇降路１上方に向かって上方に位置するので、ピット梯子１２の設置時に、ピット梯子１２の上端部１２４近傍が最下階の乗場側敷居１５よりも上方に突き出し、作業者２００のピット１０へのアクセス時に手摺の機能を兼ね備えることができ、安全なピット梯子１２を提供することが可能となる。さらに、ピット梯子１２の使用時に梯子の転倒防止用のストッパー（中心側凹部１３０ｂ）を備え、かつ、転倒防止の角度を確保して設置することができるので、安全でかつ、確実な固定のできるピット梯子装置１００を提供することが可能となる。
【００７７】
本実施の形態に係るピット梯子装置１００は、さらに、縮小された状態のピット梯子１２の上端部１２４を、乗場側敷居１５からピット床面５１に向かって形成されたピット側壁５０に固定する側壁上端固定部を備え、ピット梯子１２は、縮小された状態で側壁上端固定部により上端部１２４がピット側壁５０に固定されるとともに、下端部１２３が側壁近傍にスライドされることにより、ピット床面５１に対して略垂直の状態でピット側壁５０に近接して設置されるので、コンペンシープを備えた高速エレベータにおいても、干渉が発生せず安全で省スペースなピット梯子１２を提供することが可能となる。
【００７８】
また、ピット梯子１２は、縮小状態では、上端部１２４が乗場側敷居１５よりも、下方に位置するので、ピット梯子１２は乗場側敷居１５の下に小さく収納でき、かご６が緩衝器１７に突き下げた場合にも、かご６のかご延長前ダレ１６とピット梯子１２との干渉の無い安全なピット梯子装置１００を提供することができる。
【符号の説明】
【００７９】
１  昇降路、３  巻上機、４  主索、５  ガイドレール、６  かご、７  釣合オモリ、８  制御ケーブル、９  コンペンロープ、１０  ピット、１１  コンペンシープ、１２  ピット梯子、１３  取付台、１４  乗場延長前ダレ、１５  乗場側敷居、１６  かご延長前ダレ、１７  緩衝器、１８  固定金具、１９  締結部材、２１  チェーン、２３  チェーン取付金具、２５  フック、２６  磁石、２７  磁石固定具、２９  突起部、３０  ロック機構、３１  ロック金具、３２  アーム、３３，３３ａ，３３ｂ，３３ｃ  踏ざん、３４  ロック金具取付部、５０  ピット側壁、５１  ピット床面、６１  かご側敷居、１００  ピット梯子装置、１２１  上梯子、１２２  下梯子、１２３  下端部、１２４  上端部、１２５，１２６  梯子支柱、１３０ａ  側壁側凹部、１３０ｂ  中心側凹部、１３１  スライド溝、１３１ｃ  スライド部、１４１  前ダレチェーン連結部、３１１  引っ掛け部、３１２  腕部、３１３  曲面部、３１４  ロック先端部、３２１  アーム取付部、３２２  アーム斜面、３２３  アーム底面、３２４  アーム先端部、９００  エレベータシステム。
【図１】
2010202350.tif 000003
【図２】
2010202350.tif 000004
【図３】
2010202350.tif 000005
【図４】
2010202350.tif 000006
【図５】
2010202350.tif 000007
【図６】
2010202350.tif 000008
【図７】
2010202350.tif 000009
【図８】
2010202350.tif 000010
【図９】
2010202350.tif 000011
【図１０】
2010202350.tif 000012
【図１１】
2010202350.tif 000013
【図１２】
2010202350.tif 000014
【図１３】
2010202350.tif 000015
【図１４】
2010202350.tif 000016
【図１５】
2010202350.tif 000017
【図１６】
2010202350.tif 000018
【図１７】
2010202350.tif 000019
【図１８】
2010202350.tif 000020
【図１９】
2010202350.tif 000021
【図２０】
2010202350.tif 000022
【図２１】
2010202350.tif 000023
【図２２】
2010202350.tif 000024
【図２３】
2010202350.tif 000025
【図２４】
2010202350.tif 000026